(57)【要約】【課題】電極パターンの交差領域における辺の幅を狭く形成し、交差領域の幅が交差領域以外の幅に比べて広くなることを防止することで、交差領域がユーザに認識されることを防止することができるタッチパネルを提供する。【解決手段】本発明によるタッチパネルは、辺１１５が交差する交差領域１１７が形成され、交差領域１１７における辺１１５の幅が交差領域１１７以外における辺１１５の幅に比べて狭い単位パターン１１３の組み合わせで形成された電極パターンを含む。【選択図】図２
2014063468.tif 000002
【特許請求の範囲】
【請求項１】
辺が交差する交差領域が形成され、前記交差領域における前記辺の幅が前記交差領域以外における前記辺の幅に比べて狭い単位パターンの組み合わせで形成された電極パターンを含むタッチパネル。
【請求項２】
前記辺は、９０゜より大きいか小さい角度で交差する請求項１に記載のタッチパネル。
【請求項３】
前記単位パターンは、菱形である請求項１に記載のタッチパネル。
【請求項４】
前記交差領域以外における辺の幅は、一定である請求項１に記載のタッチパネル。
【請求項５】
前記電極パターンが形成された透明基板をさらに含む請求項１に記載のタッチパネル。
【請求項６】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項１に記載のタッチパネル。
【請求項７】
前記電極パターンは、銀塩乳剤層を露光／現像して形成される金属銀からなる請求項１に記載のタッチパネル。
【請求項８】
辺が交差する交差領域が形成され、前記辺の幅は前記交差領域に向かって減少する単位パターンの組み合わせで形成された電極パターンを含むタッチパネル。
【請求項９】
前記辺は、９０゜より大きいか小さい角度で交差する請求項８に記載のタッチパネル。
【請求項１０】
前記単位パターンは、菱形である請求項８に記載のタッチパネル。
【請求項１１】
前記辺の幅は、前記交差領域に向かって段階的に減少する請求項８に記載のタッチパネル。
【請求項１２】
前記電極パターンが形成された透明基板をさらに含む請求項８に記載のタッチパネル。
【請求項１３】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される請求項８に記載のタッチパネル。
【請求項１４】
前記電極パターンは、銀塩乳剤層を露光／現像して形成される金属銀からなる請求項８に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在もっとも幅広い分野で用いられている方式は、抵抗膜方式及び静電容量方式のタッチパネルである。
【０００７】
一方、タッチパネルは、特許文献１のように、金属を用いて電極パターンを形成するための研究が活発に進められている。このように、金属で電極パターンを形成すると、電気伝導度に優れ、需給がスムーズになるという利点がある。但し、金属で電極パターンを形成する場合、ユーザに認識されることを防止するために、マイクロメータ（μｍ）単位のメッシュ（Ｍｅｓｈ）構造に形成しなければならない。しかし、メッシュ構造は、垂直に交差しないため、交差領域の幅が他の領域の幅に比べて広く、そのため、交差領域がユーザに認識されるという問題点がある。
【先行技術文献】
【特許文献】
【０００８】
【特許文献１】特開２０１１−１７５９６７号公報
【発明の概要】
【発明が解決しようとする課題】
【０００９】
本発明は、上述した従来技術の問題点を解決するためのものであって、本発明の目的は、電極パターンの交差領域における辺の幅を狭く形成することで、交差領域の幅が交差領域以外の幅に比べて広くなることを防止することができるタッチパネルを提供することにある。
【課題を解決するための手段】
【００１０】
本発明の第１実施例によるタッチパネルは、辺が交差する交差領域が形成され、前記交差領域における前記辺の幅が前記交差領域以外における前記辺の幅に比べて狭い単位パターンの組み合わせで形成された電極パターンを含む。
【００１１】
また、本発明の第１実施例によるタッチパネルにおいて、前記辺は、９０゜より大きいか小さい角度で交差する。
【００１２】
また、本発明の第１実施例によるタッチパネルにおいて、前記単位パターンは、菱形である。
【００１３】
また、本発明の第１実施例によるタッチパネルにおいて、前記交差領域以外における辺の幅は、一定である。
【００１４】
また、本発明の第１実施例によるタッチパネルにおいて、前記電極パターンが形成された透明基板をさらに含む。
【００１５】
また、本発明の第１実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００１６】
また、本発明の第１実施例によるタッチパネルにおいて、前記電極パターンは、銀塩乳剤層を露光／現像して形成される金属銀からなる。
【００１７】
本発明の第２実施例によるタッチパネルは、辺が交差する交差領域が形成され、前記辺の幅は前記交差領域に向かって減少する単位パターンの組み合わせで形成された電極パターンを含む。
【００１８】
また、本発明の第２実施例によるタッチパネルにおいて、前記辺は、９０゜より大きいか小さい角度で交差する。
【００１９】
また、本発明の第２実施例によるタッチパネルにおいて、前記単位パターンは、菱形である。
【００２０】
また、本発明の第２実施例によるタッチパネルにおいて、前記辺の幅は、前記交差領域に向かって段階的に減少する。
【００２１】
また、本発明の第２実施例によるタッチパネルにおいて、前記電極パターンが形成された透明基板をさらに含む。
【００２２】
また、本発明の第２実施例によるタッチパネルにおいて、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成される。
【００２３】
また、本発明の第２実施例によるタッチパネルにおいて、前記電極パターンは、銀塩乳剤層を露光／現像して形成される金属銀からなる。
【発明の効果】
【００２４】
本発明によると、電極パターンの交差領域における辺の幅を狭く形成し、交差領域の幅が交差領域以外の幅に比べて広くなることを防止することで、交差領域がユーザに認識されることを防止することができる。
【図面の簡単な説明】
【００２５】
【図１】本発明の第１実施例によるタッチパネルの平面図である。
【図２】図１のＸ部分を拡大した平面図である。
【図３】本発明によるタッチパネルの比較例を図示した平面図である。
【図４】本発明の第１実施例によるタッチパネルの断面図である。
【図５】本発明の第１実施例によるタッチパネルの断面図である。
【図６】本発明の第１実施例によるタッチパネルの断面図である。
【図７】本発明の第２実施例によるタッチパネルの平面図である。
【図８】本発明の第２実施例によるタッチパネルの平面図である。
【図９】図７のＹ部分を拡大した平面図である。
【図１０】図８のＺ部分を拡大した平面図である。
【発明を実施するための形態】
【００２６】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２７】
以下、添付図面を参照して、本発明の好ましい実施例を詳細に説明する。
【００２８】
図１は、本発明の第１実施例によるタッチパネルの平面図であり、図２は、図１のＸ部分を拡大した平面図である。
【００２９】
図１から図２に図示されたように、本実施例によるタッチパネル１００は、辺１１５が交差する交差領域１１７が形成され、交差領域１１７における辺１１５の幅が交差領域１１７以外における辺１１５の幅に比べて狭い単位パターン１１３の組み合わせで形成された電極パターン１１０を含む。
【００３０】
前記電極パターン１１０は、ユーザがタッチする際に信号を発生させてコントローラでタッチ座標を認識できるようにする機能を果たす。ここで、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせを用いてマイクロメータ（μｍ）単位の微細パターンに形成することができる。また、電極パターン１１０は、第１電極パターン１１０ａ及び第２電極パターン１１０ｂを含むことができる。この際、第１電極パターン１１０ａ及び第２電極パターン１１０ｂは、互いに異なる層に形成される。但し、電極パターン１１０は、必ずしも２つの電極パターン（第１電極パターン１１０ａ及び第２電極パターン１１０ｂ）を含む必要はなく、１つの電極パターン１１０で構成されることができることは言うまでもない。
【００３１】
一方、電極パターン１１０は、メッキ工程やスパッタ（Ｓｐｕｔｔｅｒ）を用いる蒸着工程で形成することができる。また、電極パターン１１０を銅（Ｃｕ）などの金属で形成する場合、電極パターン１１０の表面に黒化処理を施すことができる。ここで、黒化処理とは、電極パターン１１０の表面を酸化させてＣｕ２ＯまたはＣｕＯなどを析出することであり、Ｃｕ２Ｏは褐色を帯びるためブラウンオキサイド（Ｂｒｏｗｎ  Ｏｘｉｄｅ）とし、ＣｕＯは黒色を帯びるためブラックオキサイド（Ｂｌａｃｋ  Ｏｘｉｄｅ）とする。このように、電極パターン１１０の表面に黒化処理を施すことで、光が反射することを防止することができ、これによりタッチパネル１００の視認性を改善させることができる利点がある。一方、上述した金属の他にも、電極パターン１１０は、銀塩乳剤層を露光／現像して形成された金属銀を用いて形成することもできる。
【００３２】
また、電極パターン１１０は、図２に図示されたように、菱形の単位パターン１１３の組み合わせであるメッシュ（Ｍｅｓｈ）構造に形成することができる。ここで、単位パターン１１３の辺１１５は、通常９０゜より大きいか小さい角度で交差することができる。即ち、単位パターン１１３の辺１１５は、互いに鋭角αまたは鈍角βに交差することができる。このように、単位パターン１１３の辺１１５が鋭角αまたは鈍角βに交差すると、辺１１５が交差する交差領域１１７の幅が交差領域１１７以外の幅に比べて広くなり得る。
【００３３】
図３は、本発明によるタッチパネルの比較例を図示した平面図であり、図３を参照して、交差領域１１７の幅が交差領域１１７以外の幅に比べて広い理由について説明する。
【００３４】
具体的に、交差領域の上下幅Ａ、交差領域の左右幅Ｂ及び辺の幅Ｃを比較すると、交差領域の上下幅Ａ、交差領域の左右幅Ｂ、辺の幅Ｃの順に広い（Ａ＞Ｂ＞Ｃ）。この際、上下幅Ａと左右幅Ｂは、交差領域１１７の幅に対応し、辺の幅Ｃは、交差領域１１７以外の幅に対応するため、交差領域１１７の幅が交差領域１１７以外の幅に比べて広いことを確認することができる。従って、交差領域１１７が交差領域１１７以外に比べてユーザに認識される恐れが大きい。
【００３５】
しかし、本実施例によるタッチパネル１００は、図２に図示されたように、交差領域１１７における辺１１５の幅が交差領域１１７以外における辺１１５の幅に比べて狭いため、交差領域１１７の幅が交差領域１１７以外の幅に比べて広くなることを防止することができる。実際、交差領域の上下幅Ｄ、交差領域の左右幅Ｅ及び交差領域１１７以外における辺の幅Ｆは、ほぼ類似したサイズを有することを確認することができる。従って、交差領域１１７がユーザに認識されることを防止することができる効果がある。一方、交差領域１１７以外においても特定の部分が強調されてユーザに認識されることを防止するために、交差領域１１７以外における辺の幅Ｆは、一定である。
【００３６】
また、図４から図６は、本発明の第１実施例によるタッチパネルの断面図である。
【００３７】
図４に図示されたように、本実施例によるタッチパネル１００は、一面に第１電極パターン１１０ａが形成され、他面に第２電極パターン１１０ｂが形成される透明基板１３０を含む。
【００３８】
ここで、透明基板１３０は、第１、２電極パターン１１０ａ、１１０ｂが形成される領域を提供する。但し、必ずしも一つの透明基板１３０の両面に第１電極パターン１１０ａ及び第２電極パターン１１０ｂが形成される必要はない。即ち、図５に図示されたように、透明基板１３０に第１電極パターン１１０ａを形成した後、透明基板１３０に絶縁層１４０を形成し、絶縁層１４０に第２電極パターン１１０ｂを形成することができる。その他にも、図６に図示されたように、２つの透明基板１３０を備え、２つの透明基板１３０にそれぞれ第１電極パターン１１０ａ及び第２電極パターン１１０ｂを形成することができる。この場合、２つの透明基板１３０は、接着層１５０で接着することができる。
【００３９】
一方、透明基板１３０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルホン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することができるが、必ずしもこれに限定されるものではない。また、透明基板１３０及び電極パターン１１０の接着力を向上するように、透明基板１３０には、高周波処理またはプライマー（Ｐｒｉｍｅｒ）処理を施すことができる。
【００４０】
さらに、電極パターン１１０の縁部には、電極パターン１１０から電気的信号を送／受信する電極配線が形成される。この際、電極配線は、電極パターン１１０と一体に形成することで製造工程を簡素化し、リードタイム（Ｌｅａｄ  Ｔｉｍｅ）を短縮することができる。また、電極配線と電極パターン１１０を一体に形成することで、電極配線と電極パターン１１０の接合工程を省略することができ、これにより電極配線と電極パターン１１０との間の段差発生や接合不良の問題を予め防止することができる効果がある。
【００４１】
図７から図８は、本発明の第２実施例によるタッチパネルの平面図であり、図９は、図７のＹ部分を拡大した平面図であり、図１０は、図８のＺ部分を拡大した平面図である。
【００４２】
図７から図１０に図示されたように、本実施例によるタッチパネル２００は、辺１１５が交差する交差領域１１７が形成され、辺の幅ｗが交差領域１１７に向かって減少する単位パターン１１３の組み合わせで形成された電極パターン１１０を含む。
【００４３】
本実施例によるタッチパネル２００は、第１実施例によるタッチパネル１００と比較して、辺の幅ｗが交差領域１１７に向かって減少する点が相違するため、第１実施例によるタッチパネル１００と重複する内容は省略し、辺の幅ｗが交差領域１１７に向かって減少する点を中心に記述する。
【００４４】
前記電極パターン１１０は、ユーザがタッチする際に信号を発生させてコントローラでタッチ座標を認識できるようにする機能を果たす。ここで、電極パターン１１０は、マイクロメータ（μｍ）単位の微細パターンに形成することができ、電極パターン１１０は、第１電極パターン１１０ａ及び第２電極パターン１１０ｂを含むものである。また、電極パターン１１０は、図９から図１０に図示されたように、菱形の単位パターン１１３の組み合わせであるメッシュ（Ｍｅｓｈ）構造に形成することができる。ここで、単位パターン１１３の辺１１５は、通常９０゜より大きいか小さい角度で交差することができる。即ち、単位パターン１１３の辺１１５は、互いに鋭角αまたは鈍角βに交差することができる。このように、単位パターン１１３の辺１１５が鋭角αまたは鈍角βに交差すると、図３に図示されたように、辺１１５が交差する交差領域１１７の幅が交差領域１１７以外の幅に比べて広くなり得る。従って、交差領域１１７は、交差領域１１７以外に比べてユーザに認識される恐れが大きい。
【００４５】
しかし、本実施例によるタッチパネル２００は、辺の幅ｗが交差領域１１７に向かって減少するため、交差領域１１７の幅が交差領域１１７以外の幅に比べて広くなることを防止することができる。従って、交差領域１１７がユーザに認識されることを防止することができる効果がある。一方、辺の幅ｗは、交差領域１１７に向かって連続して減少させることができる（図９参照）。この際、辺１１５の境界線には、段差が発生せず、中央部分が凸状に形成される。しかし、辺の幅ｗは、必ずしも一定の割合で減少させる必要はない。例えば、辺の幅ｗは、交差領域１１７に向かって段階的に減少させることができる（図１０参照）。即ち、辺の幅ｗは、ｗ１→ｗ２→ｗ３→ｗ４→ｗ５→ｗ６→ｗ７の順に変化させることができる。この際、辺１１５の境界線には、所定間隔ごとに段差が発生し、中央部分が凸状に形成される。
【００４６】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４７】
本発明の単純な変形乃至変更はいずれも本発明の領域に属するものであり、本発明の具体的な保護範囲は添付の特許請求の範囲により明確になるであろう。
【産業上の利用可能性】
【００４８】
本発明は、タッチパネルに適用可能である。
【符号の説明】
【００４９】
１００、２００  タッチパネル
１１０  電極パターン
１１０ａ  第１電極パターン
１１０ｂ  第２電極パターン
１１３  単位パターン
１１５  辺
１１７  交差領域
１３０  透明基板
１４０  絶縁層
１５０  接着層
α  鋭角
β  鈍角
ｗ、ｗ１、ｗ２、ｗ３、ｗ４、ｗ５、ｗ６、ｗ７  辺の幅
Ａ  交差領域の上下幅（比較例）
Ｂ  交差領域の左右幅（比較例）
Ｃ  辺の幅（比較例）
Ｄ  交差領域の上下幅
Ｅ  交差領域の左右幅
Ｆ  辺の幅
【図１】
2014063468.tif 000003
【図２】
2014063468.tif 000004
【図３】
2014063468.tif 000005
【図４】
2014063468.tif 000006
【図５】
2014063468.tif 000007
【図６】
2014063468.tif 000008
【図７】
2014063468.tif 000009
【図８】
2014063468.tif 000010
【図９】
2014063468.tif 000011
【図１０】
2014063468.tif 000012